(57)【要約】      （修正有）【課題】パーティション越しの会話を円滑に行うことを可能とする、パーティションおよびパーティション用反射板を提供する。【解決手段】パーティション１００は、音響調整具１０と、パーティション本体５０を備え、音響調整具１０は、反射板１１と、反射板１１を挟んで互いに対向して、それぞれ反射板１１に連接された一対の支持板１２Ａ、支持板１２Ｂと、を備え、各支持板１２Ａ、支持板１２Ｂは、一対の支持板１２Ａ、支持板１２Ｂどうしを結ぶ方向に沿って延びる嵌合溝１４Ａ、嵌合溝１４Ｂを有する。【選択図】図２
0003232309.tif 000002
【実用新案登録請求の範囲】
【請求項１】
接地面を支持することで直立して配置された対面板と、
前記対面板の上部に支持部を介して離間して設けられる前記接地面と平行な反射板と、
を備えることを特徴とするパーティション。
【請求項２】
前記反射板は前記対面板に対応する前記支持部に嵌合溝を有する、請求項１に記載のパーティション。
【請求項３】
前記対面板は上部に前記接地面と平行な載置面を有し、
前記反射板は載置面に対応する支持部を有する、請求項１に記載のパーティション。
【請求項４】
前記反射板を挟んで互いに対向して、それぞれ前記反射板に連接された一対の支持板と、を備え、
各前記支持板は、一対の前記支持板どうしを結ぶ方向に沿って延びる嵌合溝を有する、請求項１に記載のパーティション。
【請求項５】
前記支持板は、折り線を介して前記反射板と連接されている、請求項４に記載のパーティション。
【請求項６】
前記折り線は折罫である、請求項５に記載のパーティション。
【請求項７】
前記反射板は、一対の前記支持板どうしを結ぶ方向に沿って長手方向を有する、請求項４から請求項６のいずれか一項に記載のパーティション。
【請求項８】
前記支持板は、反射板から離れるに連れて、一対の前記支持板どうしを結ぶ方向と交差する方向における幅が小さくなる、請求項４から請求項７のいずれか一項に記載のパーティション。
【請求項９】
前記反射板と一対の前記支持板が連続する１枚の板紙で構成されている、請求項４から請求項８のいずれか一項に記載のパーティション。
【請求項１０】
接地面を支持することで直立して配置された対面板を有するパーティションに用いられるパーティション用反射板であって、
前記対面板の上部に設けられ、支持部を介して離間して前記接地面と平行な反射面を有することを特徴とするパーティション用反射板。
【考案の詳細な説明】
【技術分野】
【０００１】
本考案は、パーティションおよびパーティション用反射板に関するものである。
【背景技術】
【０００２】
近年、ウィルスによる感染に関し、咳、くしゃみ、会話による唾などによるウィルスを含む飛沫が感染原因の一つとして挙げられ、感染を抑制するためには、それらの飛沫の飛散を抑制することが対策の一つとして求められる。口と鼻をマスクで覆う事も飛沫の飛散を抑制する方法の一つである。そのような流れの一環として、食堂やオフィス、学校の教室などにおける机に卓上型のパーティション（間仕切り）を設置する事が感染症の拡散防止対策として推奨されている。そしてそのような卓上型のパーティションが実際に使用されている例も増加しつつある。
【考案の概要】
【考案が解決しようとする課題】
【０００３】
しかし上記の様なパーティションを用いた場合、パーティション越しの音声が聞きづらく会話が困難になることがある。
【０００４】
本考案は上記に鑑みなされたものであり、その目的は、パーティション越しの会話を円滑に行うことを可能とする、パーティションおよびパーティション用反射板を提供することである。
【課題を解決するための手段】
【０００５】
本考案は、
接地面を支持することで直立して配置された対面板と、
前記対面板の上部に支持部を介して離間して設けられる前記接地面と平行な反射板と、
を備えることを特徴とするパーティションである。
【０００６】
本考案に係るパーティションは、
前記反射板は前記対面板に対応する前記支持部に嵌合溝を有していてもよい。
【０００７】
本考案に係るパーティションは、
前記対面板は上部に前記接地面と平行な載置面を有し、
前記反射板は載置面に対応する支持部を有していてもよい。
【０００８】
本考案に係るパーティションは、
前記反射板を挟んで互いに対向して、それぞれ前記反射板に連接された一対の支持板と、を備え、
各前記支持板は、一対の前記支持板どうしを結ぶ方向に沿って延びる嵌合溝を有していてもよい。
【０００９】
本考案に係るパーティションは、前記支持板は、折り線を介して前記反射板と連接されていてもよい。
【００１０】
本考案に係るパーティションは、前記折り線は折罫であってもよい。
【００１１】
本考案に係るパーティションは、前記反射板は、一対の前記支持板どうしを結ぶ方向に沿って長手方向を有していてもよい。
【００１２】
本考案に係るパーティションは、前記支持板は、反射板から離れるに連れて、一対の前記支持板どうしを結ぶ方向と交差する方向における幅が小さくなってもよい。
【００１３】
本考案に係るパーティションは、前記反射板と一対の前記支持板が連続する１枚の板紙で構成されていてもよい。
【００１４】
本考案は、
接地面を支持することで直立して配置された対面板を有するパーティションに用いられるパーティション用反射板であって、
前記対面板の上部に設けられ、支持部を介して離間して前記接地面と平行な反射面を有することを特徴とするパーティション用反射板、である。
【考案の効果】
【００１５】
本考案によれば、パーティション越しの会話を円滑に行うことを可能とするパーティションおよびパーティション用反射板を提供することができる。
【図面の簡単な説明】
【００１６】
【図１】本考案の第１の実施形態に係るパーティションに用いられる音響調整具の平面図である。
【図２】本考案の第１の実施形態に係るパーティションを示す斜視図である。
【図３】図２における側板５２Ａ側から見たパーティションの模式断面図である。
【図４】本考案の第２の実施形態に係るパーティションに用いられる音響調整具の平面図である。
【図５】本考案の第２の実施形態に係るパーティションを示す斜視図である。
【考案を実施するための形態】
【００１７】
以下、本考案に係るパーティションおよびパーティション用反射板について、各図を参照して説明する。なお、以下に示す各図は、模式的に示した図であり、各部の大きさ、形状、厚さ、隙間、装飾などは理解を容易にするため適宜誇張、単純化などしている。また説明に直接的に関係しない構成などについては適宜省略している。なお、以下の各図において、同一部分には同一の符号を付しており、一部詳細な説明を省略する場合がある。また、以下の説明では、具体的な数値、形状、材料等を示して説明を行うが、これらは、適宜変更することができる。
【００１８】
本明細書において、板等の言葉を使用している。一般的な使い方として、厚さの厚い順に、板、シート、フィルムの順で使用されているが、このような使い分けには、技術的な意味は無いので、これらの文言は適宜置き換えても、本考案の本質も実用新案登録請求の範囲の解釈も不変である。
【００１９】
また、本明細書において用いる、形状や幾何学的条件並びにそれらの程度を特定する、例えば、「平行」、「直交」、「垂直」、「同一」等の用語や長さや９０°等の角度の値等については、厳密な意味に縛られることなく、同様の機能を期待し得る程度の範囲を含めて解釈されるべきである。
【００２０】
＜第１の実施形態＞
図１は、本考案の第１の実施形態に係るパーティションに用いられる音響調整具の平面図である。図２は、本考案の第１の実施形態に係るパーティションを示す斜視図である。図３は、図１における側板５２Ａ側から見たパーティションの模式断面図である。図１〜図３において、１０は音響調整具、１１は反射板、１２Ａ、１２Ｂは支持板、１３Ａ、１３Ｂは折り線、５０はパーティション本体、５１は対面板、５２Ａ、５２Ｂは側板である。図２、図３に示したパーティションは、図１に示した音響調整具をパーティション本体に設置することにより得られる。
【００２１】
反射板１１は、会話における声などの音声を反射するためのパーティション用反射板である。反射板１１は、所定の厚みを有する板状のものである。図１に示すように、本実施形態では、反射板１１は矩形状である。本実施形態では、反射板１１は、一対の支持板１２Ａ、１２Ｂの間を結ぶ方向（図１における左右方向）に沿って長手方向を有する。
【００２２】
本実施形態で用いられる音響調整具１０は、一対の支持板１２Ａ、１２Ｂを有している。本実施形態では、支持板１２Ａと支持板１２Ｂは互いに同一形状である。ただし、支持板１２Ａと支持板１２Ｂは必ずしも同一形状である必要はない。支持板１２Ａ、支持板１２Ｂは反射板１１を挟んで互いに対向している。支持板１２Ａは、折り線１３Ａを介して反射板１１に連接されており、支持板１２Ｂは、折り線１３Ｂを介して反射板１１に連接されている。なお、支持板１２Ａ、支持板１２Ｂは、必ずしも折り線１３Ａ、折り線１３Ｂを介して反射板１１に連接されている必要はなく、別の部材を介して、反射板１１に連接されていてもよい。
【００２３】
本実施形態では、音響調整具１０は、反射板１１、支持板１２Ａ、支持板１２Ｂが同一素材で一体に形成されている。したがって、音響調整具１０は、１枚の板状物となっている。反射板１１と支持板１２Ａの境界には、折り線１３Ａが形成されており、反射板１１と支持板１２Ｂの境界には、折り線１３Ｂが形成されている。
【００２４】
折り線１３Ａ、折り線１３Ｂとしては、反射板１１に対して、支持板１２Ａ、支持板１２Ｂの配置角度を変化させることが可能な線であれば、どのような形態であってもよい。例えば、貫通溝が形成された部分と形成されない部分とが交互に配置されたミシン目、材料の厚さ方向の一部のみ切断あるいは材料が存在しないハーフカット、一度折り曲げて再び展開した折り癖、押罫と呼ばれる雄型により押して作られた折り溝である折罫、または、それらの組み合わせなどである。本実施形態では、折り線１３Ａ、折り線１３Ｂとして折罫を採用している。したがって、本実施形態では、図１に示したような外形を有する板状物に、押罫加工で折り線１３Ａ、折り線１３Ｂを形成することにより、反射板１１、支持板１２Ａ、支持板１２Ｂを画成する。
【００２５】
支持板１２Ａ、支持板１２Ｂは、支持板１２Ａと支持板１２Ｂを結ぶ方向に沿って延びる嵌合溝１４Ａ、１４Ｂを有している。上述のように、反射板１１は矩形状である。本実施形態では、反射板１１は、一対の支持板１２Ａ、１２Ｂの間を結ぶ方向（図１における左右方向）に沿って延び、互いに対向する辺Ｈ１、辺Ｈ２と、辺Ｈ１および辺Ｈ２に交差する方向に延び、互いに対向する辺Ｈ３、辺Ｈ４と、を有する。図１に示すように、反射板１１の辺Ｈ１、辺Ｈ２の長さは、ともにＬ１であり、辺Ｈ３、辺Ｈ４の長さは、ともにＬ２である。反射板１１は、一対の支持板１２Ａ、１２Ｂの間を結ぶ方向に沿って長手方向を有するため、Ｌ１＞Ｌ２という関係を有する。
【００２６】
図１において、図面左右方向に延びる一点鎖線は中央線ＣＬ１を示し、図面上下方向に延びる一点鎖線は中央線ＣＬ２を示す。中央線ＣＬ１、中央線ＣＬ２は、実際には存在せず、説明のために用いる仮想的な直線である。反射板１１の辺Ｈ１と辺Ｈ２は、中央線ＣＬ１に対して互いに線対称となる位置に配置されている。また、反射板１１の辺Ｈ３と辺Ｈ４は、中央線ＣＬ２に対して互いに線対称となる位置に配置されている。したがって、中央線ＣＬ１は、辺Ｈ３の中点と辺Ｈ４の中点を通り、中央線ＣＬ２は、辺Ｈ１の中点と辺Ｈ２の中点を通る。
【００２７】
上述のように、本実施形態では、支持板１２Ａと支持板１２Ｂは互いに同一形状である。支持板１２Ａ、支持板１２Ｂの形状に特に限定はない。しかし、支持板１２Ａ、支持板１２Ｂのいずれも、反射板１１から離れるに連れて、一対の支持板１２Ａと支持板１２Ｂを結ぶ方向と交差する方向（図１における上下方向）における幅が小さくなる形状であることが好ましい。
【００２８】
本実施形態では、支持板１２Ａ、支持板１２Ｂのいずれも台形状である。台形状である支持板１２Ａの下底となる辺Ｈ５Ａが、反射板１１の辺Ｈ３と重なる位置に配置され、台形状である支持板１２Ｂの下底となる辺Ｈ５Ｂが、反射板１１の辺Ｈ４と重なる位置に配置されている。なお、ここでは、台形を構成する平行な２辺のうち、長い方を下底、短い方を上底としている。上底、下底の上下は、実際の上下を示す方向とは無関係である。なお、支持板１２Ａと支持板１２Ｂは必ずしも台形状である必要はなく、他の四角形、四角形以外の多角形等、任意の形状とすることができる。
【００２９】
また、反射板１１と支持板１２Ａを区分する折り線１３Ａは、辺Ｈ３と重なる位置に形成されており、反射板１１と支持板１２Ｂを区分する折り線１３Ｂは、辺Ｈ４と重なる位置に形成されている。台形状の支持板１２Ａの辺Ｈ５Ａの長さはＬ３であり、台形状の支持板１２Ａの上底（辺Ｈ３および辺Ｈ５Ａと平行で反射板１１から最も離れた部分）となる辺Ｈ６Ａの長さはＬ４である。台形状の支持板１２Ａの辺Ｈ５Ａと辺Ｈ６Ａの距離（図１における左右方向の距離）はＬ５である。支持板１２Ｂは、中央線ＣＬ２に対して支持板１２Ａと線対称となる位置に配置されている。このため、支持板１２Ａと同様、台形状の支持板１２Ｂの下底（辺Ｈ４と重なる部分）となる辺Ｈ５Ｂの長さはＬ３であり、台形状の支持板１２Ｂの上底（辺Ｈ４および辺Ｈ５Ｂと平行で反射板１１から最も離れた部分）となる辺Ｈ６Ｂの長さはＬ４である。台形状の支持板１２Ｂの辺Ｈ５Ｂと辺Ｈ６Ｂの距離（図１における左右方向の距離）はＬ５である。
【００３０】
音響調整具の使用方法については後述するが、反射板１１は、パーティション本体５０の対面板５１の上に水平に設置され、対面板５１の上方において、音声を反射するために用いられる。このため、対面板５１の面方向に沿って長い範囲をカバーすることが好ましい。一方、対面側に向かう方向においては、比較的短いことが好ましい。そのため、上述のように、辺Ｈ１、辺Ｈ２の各長さＬ１、辺Ｈ３、辺Ｈ４の各長さＬ２は、Ｌ１＞Ｌ２という関係を有することが好ましい。
【００３１】
さらに、上述のような理由から、１．１×Ｌ２≦Ｌ１≦３．０×Ｌ２であることが好ましい。すなわち、辺Ｈ１、辺Ｈ２の長さＬ１は、それぞれ辺Ｈ３、辺Ｈ４の長さＬ２の１．１倍以上であって、３倍以下であることが好ましい。また、１．２×Ｌ２≦Ｌ１≦２．０×Ｌ２であることがより好ましい。すなわち、辺Ｈ１、辺Ｈ２の長さＬ１は、それぞれ辺Ｈ３、辺Ｈ４の長さＬ２の１．２倍以上であって、２倍以下であることがより好ましい。辺Ｈ１および辺Ｈ２が、辺Ｈ３および辺Ｈ４に対して短過ぎないことにより、対面板の面方向に沿って比較的長い範囲をカバーすることができる。また、辺Ｈ１および辺Ｈ２が、辺Ｈ３および辺Ｈ４に対して長過ぎないことにより、コンパクトにして持ち運ぶことができる。
【００３２】
また、反射板１１の短辺Ｈ３の長さＬ２と、支持板１２Ａの辺Ｈ５Ａの長さＬ３は、１．４×Ｌ３≦Ｌ２≦２．８×Ｌ３であることが好ましく、１．６×Ｌ３≦Ｌ２≦２．５×Ｌ３であることがより好ましい。支持板１２Ａの辺Ｈ５Ａの長さＬ３は、反射板１１と支持板１２Ａの連接部分の長さとなる。そのため、反射板１１の短辺Ｈ３が、支持板１２Ａの辺Ｈ５Ａに対して短過ぎないことにより、支持板１２Ａの材料を少なくすることができ、省資源化できる。また、反射板１１の短辺Ｈ３が、支持板１２Ａの辺Ｈ５Ａに対して長過ぎないことにより、支持板１２Ａが反射板１１を安定して固定することができる。本実施形態では、中央線ＣＬ２に対して、対称な形状であるため、反射板１１の短辺Ｈ４と、支持板１２Ｂの辺Ｈ５Ｂの関係は、反射板１１の短辺Ｈ３と、支持板１２Ａの辺Ｈ５Ａの関係と同様である。
【００３３】
支持板１２Ａの辺Ｈ５Ａ（図１の支持板１２Ａの左端）の長さＬ３と、辺Ｈ６Ａ（図１の支持板１２Ａの右端）の長さＬ４は、１．３×Ｌ４≦Ｌ３≦４．０×Ｌ４であることが好ましく、１．５×Ｌ４≦Ｌ３≦３．０×Ｌ４であることがより好ましい。音響調整具１０の設置時には、支持板１２Ａの辺Ｈ６Ａ側は、パーティションの対面板に深く嵌合する側となる。そのため、支持板１２Ａの辺Ｈ５Ａが、支持板１２Ａの辺Ｈ６Ａに対して短過ぎないことにより、支持板１２Ａの材料を少なくすることができ、省資源化できる。また、Ｌ３反射板１１の短辺Ｈ３が、支持板１２Ａの辺Ｈ５Ａに対して長過ぎないことにより支持板１２Ａが反射板１１を安定して固定することができる。本実施形態では、支持板１２Ａと支持板１２Ｂは、中央線ＣＬ２に対して対称な同一形状であるため、支持板１２Ａの辺Ｈ５Ａと辺Ｈ６Ａの関係は、支持板１２Ｂの辺Ｈ５Ａと辺Ｈ６Ａの関係と同様である。
【００３４】
また、反射板１１の長辺Ｈ１の長さＬ１と、支持板１２Ａの辺Ｈ５Ａと辺Ｈ６Ａの距離Ｌ５は、２．５×Ｌ５≦Ｌ１≦５．０×Ｌ５であることが好ましく、３．０×Ｌ５≦Ｌ１≦４．０×Ｌ５であることがより好ましい。支持板１２Ａの辺Ｈ５Ａと辺Ｈ６Ａの距離Ｌ５は、パーティションの対面板に嵌合する深さに関係する。そのため、反射板１１の長辺Ｈ１が、支持板１２Ａの辺Ｈ５Ａと辺Ｈ６Ａの距離に対して短過ぎないことにより、対面板の面方向に沿って長い範囲に対して反射効果が得られる。また、反射板１１の長辺Ｈ１が、支持板１２Ａの辺Ｈ５Ａと辺Ｈ６Ａの距離Ｌ５に対して長過ぎないことにより、反射板１１の大きさに対して、支持板１２Ａがパーティションの対面板と深く嵌合して、反射板１１を安定して固定することができる。本実施形態では、中央線ＣＬ２に対して、対称な形状であるため、反射板１１の長辺Ｈ２と、支持板１２Ｂの辺Ｈ５Ａと辺Ｈ６Ａの距離との関係は、反射板１１の長辺Ｈ１と、支持板１２Ａの辺Ｈ５Ａと辺Ｈ６Ａの距離との関係と同様である。
【００３５】
また、支持板１２Ａ、１２Ｂには、対面板と嵌合するための嵌合溝１４Ａ、１４Ｂがそれぞれ形成されている。嵌合溝１４Ａは、支持板１２Ａの辺Ｈ６Ａ（図１の支持板１２Ａの右端）を始点として、支持板１２Ａ、１２Ｂの間を結ぶ方向に沿って反射板１１の側に向かって、形成されている。支持板１２Ａ、１２Ｂの間を結ぶ方向（図１における左右方向）に沿った嵌合溝１４Ａの長さはＬ６であり、支持板１２Ａ、１２Ｂの間を結ぶ方向と交差する方向（図１における上下方向）における嵌合溝１４Ａの幅はＬ７である。なお、図１においては、図面が煩雑になるのを避けるため、長さＬ６、幅Ｌ７を嵌合溝１４Ｂに対応させて示している。嵌合溝１４Ａと嵌合溝１４Ｂの長さ、幅はともに同一であり、それぞれＬ６、Ｌ７である。
【００３６】
嵌合溝１４Ａの長さＬ６は、３．０ｍｍ以上１５．０ｍｍ以下であることが好ましく、５．０ｍｍ以上１０．０ｍｍ以下であることがより好ましい。当然のことながら、嵌合溝１４Ａの長さＬ６は、支持板１２Ａの辺Ｈ５Ａと辺Ｈ６Ａの距離Ｌ５より小さい必要がある。嵌合溝１４Ａの長さＬ６が短過ぎないことにより、支持板１２Ａを対面板に深く嵌合させて音響調整具を安定して固定することができる。嵌合溝１４Ａの長さＬ６が長過ぎないことにより、嵌合溝１４Ａと反射板１１の間に間隔を設け、設置時に対面板と反射板の間の空間を広げることができる。
【００３７】
嵌合溝１４Ａの幅Ｌ７は、パーティション本体５０の対面板５１に嵌合させることができる幅とする必要がある。したがって、設置予定の対面板５１の厚みに合わせて設定される。具体的には、嵌合溝１４Ａの幅Ｌ７は、１．０ｍｍ以上１０．０ｍｍ以下とすることが好ましく、２．０ｍｍ以上８．０ｍｍ以下とすることがより好ましい。嵌合溝１４Ａの幅Ｌ７が小さ過ぎない場合、対面板５１を嵌合溝に挿入することが可能となる。また、嵌合溝１４Ａの幅Ｌ７が大き過ぎない場合、設置後に音響調整具１０が揺動することを抑えて、安定して固定することが可能となる。本実施形態では、中央線ＣＬ２に対して、支持板１２Ａと支持板１２Ｂは対称な同一形状であるため、支持板１２Ｂに形成されている嵌合溝１４Ｂも、支持板１２Ａに形成されている嵌合溝１４Ａと同一構造である。したがって、嵌合溝１４Ｂの長さもＬ６となり、嵌合溝１４Ｂの幅もＬ７となる。
【００３８】
支持板１２Ａ、１２Ｂの素材が紙等である場合は、嵌合溝１４Ａ、１４Ｂの内縁側が弾性、可撓性等の変形許容性を有する。このような場合には、嵌合溝１４Ａ、１４Ｂの幅Ｌ７より若干厚い対面板５１に対しても対応できる。したがって、支持板１２Ａ、１２Ｂを紙素材とした場合、比較的広範な厚みの対面板５１に対応できる。そのため、パーティションとは別に音響調整具を単体で販売する場合、紙素材で作成したものは汎用性が高い。
【００３９】
嵌合溝１４Ａの反射板１１寄りの端部と反射板１１（辺Ｈ３）までの距離Ｌ８は、当然のことながら、支持板１２Ａの辺Ｈ５Ａと辺Ｈ６Ａの距離Ｌ５から、嵌合溝１４Ａの長さＬ６を引いたものとなる。すなわち、Ｌ８＝Ｌ５−Ｌ６である。なお、図１においては、図面が煩雑になるのを避けるため、長さＬ８を支持板１２Ｂに対応させて示している。嵌合溝１４Ａの反射板１１寄りの端部と反射板１１（辺Ｈ３）までの距離と嵌合溝１４Ｂの反射板１１寄りの端部と反射板１１（辺Ｈ４）までの距離は、ともに同一であり、Ｌ８である。
【００４０】
音響調整具の設置時には、この嵌合溝１４Ａの反射板１１寄りの端部と反射板１１までの距離Ｌ８が、対面板から反射板１１までの高さとなる。対面板から反射板１１までの高さが大きいと、反射板１１により反射される空間が広くなる。このため、嵌合溝１４Ａの反射板１１寄りの端部と反射板１１までの距離Ｌ８は、５０ｍｍ以上３００ｍｍ以下であることが好ましく、１００ｍｍ以上２００ｍｍ以下であることがより好ましい。嵌合溝１４Ａの反射板１１寄りの端部と反射板１１までの距離Ｌ８が小さ過ぎないことにより、音声が通る最低限の空間を確保することができる。また、嵌合溝１４Ａの反射板１１寄りの端部と反射板１１までの距離Ｌ８が大き過ぎないことにより、飛沫が通る量を削減することができる。
【００４１】
図１の例では、反射板１１、支持板１２Ａ、１２Ｂの各頂点部分は角張っているが、角が円弧状等の曲線であってもよい。すなわち、反射板１１、支持板１２Ａ、１２Ｂの隅が丸みを帯びていてもよい。
【００４２】
折り線１３Ａと折り線１３Ｂの長さは同一であり、ともにＬ９である。折り線１３Ａ、折り線１３Ｂの長さＬ９は、支持板１２Ａ、１２Ｂの辺Ｈ５Ａ、Ｈ５Ｂの長さＬ３以下である。すなわち、Ｌ９≦Ｌ３である。折り線１３Ａ、折り線１３Ｂは、その中点が中央線ＣＬ１上に位置するように形成されることが好ましい。
【００４３】
音響調整具を構成する反射板１１、支持板１２Ａ、支持板１２Ｂの材料としては、軽量、かつある程度の強度を有するものが好ましく、板紙、プラスチック板、プラスチック段ボールなどを挙げることができる。板紙とは、紙の中でも厚い紙であり、段ボール、ボール紙等を含む概念である。これらは同一の材料であることが好ましい。その場合には同一の材料板から切り出すことができるため、あらかじめ相互に接続された状態とすることができ、製造および組み立てを容易なものとすることができるからである。また上記の材料のうち、同一材料あるいは異なる材料が積層された複層構造のものであっても良い。単層では十分な強度が得られない場合であっても、積層して複層構造とすることで十分な強度が得られるようになるからである。
【００４４】
上記材料の板厚は材料に大きく依存する。プラスチックの場合では通常は０．０５ｍｍ以上１０ｍｍ以下であり、好ましくは０．１ｍｍ以上３ｍｍ以下、より好ましくは０．２ｍｍ以上１ｍｍ以下である。板紙（ボール紙）の場合では通常は０．１ｍｍ以上１０ｍｍ以下であり、好ましくは０．３ｍｍ以上８ｍｍ以下、より好ましくは０．５ｍｍ以上５ｍｍ以下である。段ボールの場合では通常は０．５ｍｍ以上１５ｍｍ以下であり、好ましくは１ｍｍ以上１０ｍｍ以下、より好ましくは３ｍｍ以上８ｍｍ以下である。
【００４５】
プラスチックとしては、ポリエチレン、ポリプロピレン、ポリスチレン、ポリ塩化ビニル、ポリメチルメタクリレート、アクリルニトリル−ブタジエン−スチレン樹脂、ポリアミド、ナイロン、ポリアセタール、ポリカーボネート、ポリフェニレンエーテル、ポリエチレンテレフタレート（ＰＥＴ）、ポリブチレンテレフタレート、アクリル系樹脂、ポリエステル系樹脂などを挙げることができる。好ましい一例としてはポリエチレンテレフタレート（ＰＥＴ）である。プラスチック素材の場合には、可視光に対する透過率を高く（透明に近く）することが容易なものも多く、可視光の透過率として５０％以上、好ましくは７０％以上、より好ましくは８０％以上とすることも可能である。
【００４６】
好ましい例としては、反射板１１と一対の支持板１２Ａ、支持板１２Ｂが連続する１枚の板紙で構成されていることが好ましい。１枚の板紙としては、単層であっても複層構造を有するものであってもよい。例えば、板紙としては、厚さ１．０ｍｍの白色ボール紙を用いることができる。
【００４７】
＜使用方法＞
本実施形態に係るパーティションの使用方法について説明する。図１に示した音響調整具を使用する際、折り線１３Ａを支点として支持板１２Ａを折り曲げる。同様に、折り線１３Ｂを支点として支持板１２Ｂを折り曲げる。このようにして、支持板１２Ａ、支持板１２Ｂがともに反射板１１とのなす角が略直角となるように折り曲げた後、嵌合溝１４Ａ、嵌合溝１４Ｂ内に対面板が挿入されるようにして、音響調整具を、パーティションに設置する。この結果、図２に示したようなパーティションが得られる。
【００４８】
図２に示した５０は、パーティション本体である。パーティションとは、空間を仕切る板状の物品であり、間仕切りとも呼ばれる。図２に示したパーティション本体５０は、対面する空間を仕切る対面板５１、対面板５１と交差する２枚の側板５２Ａ、５２Ｂを有している。対面板５１は、接地面を支持することで直立して配置されている。側板５２Ａ、５２Ｂは対面板５１の両端に、対面板５１と交差する方向に配置されている。一般的には、図２に示すように、対面板５１と２枚の側板５２Ａ、５２Ｂはそれぞれ直交しており、側板５２Ａ、５２Ｂは互いに平行である。図２の例では、対面板５１、側板５２Ａ、５２Ｂが支持台Ｔに対して直立するように、設置されている。支持台Ｔとしては、机やテーブルの台であり、通常はその上面が水平になるように設置されている。対面板５１、側板５２Ａ、５２Ｂの支持台Ｔへの設置は、公知のパーティションと同様、様々な手段により行うことができる。例えば、対面板５１、側板５２Ａ、５２Ｂの下方に設置用の部材を設ける等して行うことができる。パーティション本体５０が設置されると、正面側の人物とは、対面板５１で隔てられ、並びの人物とは、側板５２Ａ、５２Ｂで隔てられる。特に、対面板５１を挟んだ側の人物との間では、飛沫の往来を防ぐ効果がある。
【００４９】
パーティションを構成する対面板５１、側板５２Ａ、側板５２Ｂの材料としても、軽量、かつある程度の強度を有するものが好ましい。そのため、音響調整具を構成する反射板１１、支持板１２Ａ、支持板１２Ｂと同様、上記に挙げた板紙、プラスチック板、プラスチック段ボールなどを用いることができる。
【００５０】
パーティションのみを設置した状態で、対面板５１を挟んだ相手と会話をした場合、相手がいる正面方向に直立する対面板５１で声が反射される。直立する対面板５１で反射された声は、上方には多少反射されるが、上方に反射された声はそのまま上方の空間に拡散されてしまう。一方、話者から発生されてそのまま対面板５１の上方を通る声は、ほとんど直進するため、対面板５１の反対側においては、遥か上方に声が抜けていくことになる。もちろん、拡散されるものもあるが、対面板５１を越える側においては、大きく減衰される。このため、対面板５１の向こう側の相手には声が届き難くなる。
【００５１】
図２に示すように、本実施形態で用いられる音響調整具１０が設置されると、反射板１１の両面が水平な状態となる。そして、水平な反射板１１の下面と対面板５１の上端との間に空間ができる。このように、反射板１１を有する音響調整具１０が設置されて、本実施形態に係るパーティション１００が得られる。図２、図３に示すように、反射板１１は対面板５１の上部に支持部（支持板１２Ａ、支持板１２Ｂ）を介して離間して設けられている。なお、支持部としては、支持板１２Ａ、支持板１２Ｂ以外の形態であってもよい。この際、反射板１１は接地面と平行に設置される。すなわち、接地面を支持することで直立して配置された対面板５１と、対面板５１の上部に支持部（支持板１２Ａ、支持板１２Ｂ）を介して離間して設けられる接地面と平行な反射板１１を備えるパーティション１００が得られる。一方、反射板１１は、接地面を支持することで直立して配置された対面板５１を有するパーティション１００に用いられるパーティション用反射板であって、対面板５１の上部に設けられ、支持部（支持板１２Ａ、支持板１２Ｂ）を介して離間して接地面と平行な反射面を有するパーティション用反射板となる。この状態で、対面板５１を挟んだ相手と会話をしてみる。すると、図３に示した矢印付きの破線で示したように、対面板５１で上方に反射した声は、音響調整具１０の反射板１１で抑えられて、対面板５１を挟んだ方へ送られる。また、直接対面板の上方を通る声は、音響調整具１０の反射板１１の下面で反射されて、対面板５１を挟んだ方へ送られる。このように、音響調整具１０を用いることにより、対面板５１を挟んだ相手側に多くの声を届けることができる。
【００５２】
＜第２の実施形態＞
第２の実施形態について説明する。
図４は、本考案の第２の実施形態で用いられる音響調整具の平面図である。図５は、本考案の第２の実施形態に係るパーティションを示す斜視図である。図４、図５において、２０は音響調整具、２１は反射板、２２Ａ、２２Ｂは支持板、１３ＡＡ、１３ＡＢ、１３ＢＡ、１３ＢＢは折り線、６０はパーティション本体、６１は対面板、６２Ａ、６２Ｂは支持部材である。図５に示したパーティション２００は、図４に示した音響調整具２０をパーティション本体６０に設置することにより得られる。パーティション２００は、対面板６１は上部に接地面と平行な載置面を有し、反射板２１は載置面に対応する支持部（支持板２２Ａ、２２Ｂ）を有するパーティションである。
【００５３】
反射板２１は、会話における声などの音声を反射するためのものであり、所定の厚みを有する板状のものである。図４に示すように、本実施形態では、反射板２１は矩形状である。本実施形態では、反射板２１は、一対の支持板２２Ａ、２２Ｂの間を結ぶ方向（図４における左右方向）に沿って長手方向を有する。
【００５４】
本実施形態で用いられる音響調整具２０は、一対の支持板２２Ａ、２２Ｂを有している。本実施形態では、支持板２２Ａと支持板２２Ｂは互いに同一形状である。支持板２２Ａ、支持板２２Ｂは反射板２１を挟んで互いに対向している。支持板２２Ａは、折り線２３Ａを介して反射板２１に連接されており、支持板２２Ｂは、折り線２３Ｂを介して反射板２１に連接されている。
【００５５】
本実施形態では、音響調整具２０は、反射板２１、支持板２２Ａ、支持板２２Ｂが同一素材で一体に形成されている。したがって、音響調整具２０は、１枚の板状物となっている。反射板２１と支持板２２Ａの境界には、折り線２３ＡＡが形成されており、反射板２１と支持板２２Ｂの境界には、折り線２３ＢＡが形成されている。また、本実施形態においては、反射板２１の長手方向における支持板２２Ａの中央に、反射板２１の長手方向と交差する方向に延びる折り線２３ＡＢが形成されている。同様に、反射板２１の長手方向における支持板２２Ｂの中央に、反射板２１の長手方向と交差する方向に延びる折り線２３ＢＢが形成されている。折り線２３ＡＢにより、支持板２２Ａは反射板２１から遠い側の第１部分２２ＡＡと、反射板２１から近い側の第２部分２２ＡＢに区分される。また、折り線２３ＢＢにより、支持板２２Ｂは反射板２１から遠い側の第１部分２２ＢＡと、反射板２１から近い側の第２部分２２ＢＢに区分される。
【００５６】
折り線２３ＡＡ、折り線２３ＢＡとしては、反射板２１に対して、支持板２２Ａ、支持板２２Ｂの配置角度を変化させることが可能な線であれば、どのような形態であってもよい。また、折り線２３ＡＢ、折り線２３ＢＢとしては、支持板２２Ａ、支持板２２Ｂそれぞれを所定の角度を形成するように折ることが可能な線であれば、どのような形態であってもよい。例えば、貫通溝が形成された部分と形成されない部分とが交互に配置されたミシン目、材料の厚さ方向の一部のみ切断あるいは材料が存在しないハーフカット、一度折り曲げて再び展開した折り癖、押罫と呼ばれる雄型により押して作られた折り溝である折罫、または、それらの組み合わせなどである。本実施形態では、折り線２３ＡＡ、折り線２３ＢＡ、折り線２３ＡＢ、折り線２３ＢＢとして折罫を採用している。したがって、本実施形態では、図４に示したような外形を有する板状物に、押罫加工で折り線２３ＡＡ、折り線２３ＢＡ、折り線２３ＡＢ、折り線２３ＢＢを形成することにより、反射板２１、支持板２２Ａ、支持板２２Ｂを画成する。
【００５７】
詳細は後述するが、本実施形態では、第１実施形態のように、嵌合溝を有していない代わりに、支持板２２Ａ、支持板２２Ｂそれぞれの中央に折り線２３ＡＢ、折り線２３ＢＢを有している。そして、折り線２３ＡＡ、折り線２３ＢＡとともに全て約９０度折り曲げる。これにより、支持板２２Ａの第１部分２２ＡＡ、支持板２２Ｂの第１部分２２ＢＡの面が、反射板２１と平行になるため、支持板２２Ａの第１部分２２ＡＡ、支持板２２Ｂの第１部分２２ＢＡをパーティション本体６０の上に載せることにより、反射板２１が水平になるように音響調整具２０を設置することができる。
【００５８】
上述のように、反射板２１は矩形状である。本実施形態では、反射板２１は、一対の支持板２２Ａ、２２Ｂの間を結ぶ方向（図４における左右方向）に沿って延び、互いに対向する辺Ｈ１１、辺Ｈ１２と、辺Ｈ１１および辺Ｈ１２に交差する方向に延び、互いに対向する辺Ｈ１３、辺Ｈ１４と、を有する。
【００５９】
図４に示すように、反射板２１の辺Ｈ１１、辺Ｈ１２の長さは、ともにＬ１１であり、辺Ｈ１３、辺Ｈ１４の長さは、ともにＬ１２である。反射板２１は、一対の支持板２２Ａ、２２Ｂの間を結ぶ方向に沿って長手方向を有するため、Ｌ１１＞Ｌ１２という関係を有する。
【００６０】
図４において、図面左右方向に延びる一点鎖線は中央線ＣＬ１１を示し、図面上下方向に延びる一点鎖線は中央線ＣＬ１２を示す。中央線ＣＬ１１、中央線ＣＬ１２は、実際には存在せず、説明のために用いる仮想的な直線である。反射板２１の辺Ｈ１１と辺Ｈ１２は、中央線ＣＬ１１に対して互いに線対称となる位置に配置されている。また、反射板２１の辺Ｈ１３と辺Ｈ１４は、中央線ＣＬ１２に対して互いに線対称となる位置に配置されている。したがって、中央線ＣＬ１１は、辺Ｈ１３の中点と辺Ｈ１４の中点を通り、中央線ＣＬ１２は、辺Ｈ１１の中点と辺Ｈ１２の中点を通る。
【００６１】
上述のように、本実施形態では、支持板２２Ａと支持板２２Ｂは互いに同一形状である。支持板２２Ａ、支持板２２Ｂの形状に特に限定はない。
【００６２】
本実施形態では、支持板２２Ａ、支持板２２Ｂのいずれも、一対の前記支持板どうしを結ぶ方向に沿って長手方向を有する矩形状である。矩形状である支持板２２Ａの辺Ｈ１５Ａが、反射板２１の辺Ｈ１３と重なる位置に配置され、矩形状である支持板２２Ｂの下底となる辺Ｈ１５Ｂが、反射板２１の辺Ｈ１４と重なる位置に配置されている。
【００６３】
また、反射板２１と支持板２２Ａを区分する折り線２３ＡＡは、辺Ｈ１３と重なる位置に形成されており、反射板２１と支持板２２Ｂを区分する折り線２３ＢＡは、辺Ｈ１４と重なる位置に形成されている。
【００６４】
矩形状の支持板２２Ａの辺Ｈ１５Ａおよび辺Ｈ１６Ａの長さはＬ１３であり、矩形状の支持板２２Ａの辺Ｈ１７Ａおよび辺Ｈ１８Ａの長さはＬ１４である。また、辺１６Ａと折り線２３ＡＢの距離はＬ１５であり、辺１５Ａと折り線２３ＡＢの距離はＬ１６である。辺Ｈ１７Ａおよび辺Ｈ１８Ａの長さＬ１４は、辺１６Ａと折り線２３ＡＢの距離Ｌ１５と、辺１５Ａと折り線２３ＡＢの距離Ｌ１６の和となる。すなわち、Ｌ１４＝Ｌ１５＋Ｌ１６である。
【００６５】
なお、本実施形態では、反射板２１の長手方向と交差する方向に延びる折り線２３ＡＢは、反射板２１の長手方向における支持板２２Ａの中央に形成されている。したがって、Ｌ１５＝Ｌ１６である。ただし、折り線２３ＡＢは、必ずしも反射板２１の長手方向における支持板２２Ａの中央に形成されている必要はなく、中央以外の位置に形成してもよい。ただし、支持板２２Ａの折り線２３ＡＢと支持板２２Ｂの折り線２３ＢＢは中央線ＣＬ１２に対して対称な位置に形成されている必要がある。
【００６６】
支持板２２Ｂは、中央線ＣＬ１２に対して支持板２２Ａと線対称となる位置に配置されている。このため、支持板２２Ａと同様、矩形状の支持板２２Ｂの辺Ｈ１５Ｂおよび辺Ｈ１６Ｂの長さはＬ１３であり、矩形状の支持板２２Ｂの辺Ｈ１７Ｂおよび辺Ｈ１８Ｂの長さはＬ１４である。また、辺１６Ｂと折り線２３ＢＢの距離はＬ１５であり、辺１５Ｂと折り線２３ＢＢの距離はＬ１６である。辺Ｈ１７Ｂおよび辺Ｈ１８Ｂの長さＬ１４は、辺１６Ｂと折り線２３ＢＢの距離Ｌ１５と、辺１５Ｂと折り線２３ＢＢの距離Ｌ１６の和となる。
【００６７】
音響調整具の使用方法については後述するが、反射板２１は、パーティション本体６０の対面板６１の上に水平に設置され、対面板６１の上方において、音声を反射するために用いられる。このため、対面板６１の面方向に沿って長い範囲をカバーすることが好ましい。一方、対面側に向かう方向においては、比較的短いことが好ましい。そのため、上述のように、辺Ｈ１１、辺Ｈ１２の各長さＬ１１、辺Ｈ１３、辺Ｈ１４の各長さＬ１２は、Ｌ１１＞Ｌ１２という関係を有することが好ましい。
【００６８】
さらに、上述のような理由から、３．０×Ｌ１２≦Ｌ１１≦１０．０×Ｌ１２であることが好ましい。すなわち、辺Ｈ１１、辺Ｈ１２の長さＬ１１は、それぞれ辺Ｈ１３、辺１Ｈ４の長さＬ１２の３．０倍以上であって、１０．０倍以下であることが好ましい。また、５．０×Ｌ２≦Ｌ１１≦８．０×Ｌ２であることがより好ましい。すなわち、辺Ｈ１１、辺Ｈ１２の長さＬ１１は、それぞれ辺Ｈ１３、辺Ｈ１４の長さＬ１２の５．０倍以上であって、８．０倍以下であることがより好ましい。辺Ｈ１１および辺Ｈ１２が、辺Ｈ１３および辺Ｈ１４に対して短過ぎないことにより、対面板の面方向に沿って比較的長い範囲をカバーすることができる。また、辺Ｈ１１および辺Ｈ１２が、辺Ｈ１３および辺Ｈ１４に対して長過ぎないことにより、コンパクトにして持ち運ぶことができる。
【００６９】
また、反射板２１の短辺Ｈ１３の長さＬ１２と、支持板２２Ａの辺Ｈ１５Ａの長さＬ１３は、１．０×Ｌ１３≦Ｌ１２≦５．０×Ｌ１３であることが好ましく、２．０×Ｌ１３≦Ｌ１２≦４．０×Ｌ１３であることがより好ましい。支持板２２Ａの辺Ｈ１５Ａの長さＬ１３は、反射板２１と支持板２２Ａの連接部分の長さとなる。そのため、反射板２１の短辺Ｈ１３が、支持板２２Ａの辺Ｈ１５Ａに対して短過ぎないことにより、支持板２２Ａの材料を少なくすることができ、省資源化できる。また、反射板２１の短辺Ｈ１３が、支持板２２Ａの辺Ｈ１５Ａに対して長過ぎないことにより、支持板２２Ａが反射板２１を安定して固定することができる。本実施形態では、中央線ＣＬ１２に対して、対称な形状であるため、反射板２１の短辺Ｈ１４と、支持板２２Ｂの辺Ｈ１５Ｂの関係は、反射板２１の短辺Ｈ１３と、支持板２２Ａの辺Ｈ１５Ａの関係と同様である。
【００７０】
また、反射板２１の長辺Ｈ１の長さＬ１と、支持板２２Ａの長辺Ｈ１８Ａの長さＬ１４は、２．０×Ｌ１４≦Ｌ１１≦７．０×Ｌ１４であることが好ましく、２．５×Ｌ１４≦Ｌ１１≦６．０×Ｌ１４であることがより好ましい。支持板２２Ａの長辺Ｈ１８Ａの長さＬ１４は、パーティションの対面板の上において、反射板２１を支える部分と反射板２１の下方の開口面積に影響する。そのため、反射板２１の長辺Ｈ１１が、支持板２２Ａの長辺Ｈ１８Ａに対して短過ぎないことにより、相対的に広い反射板２１の面積を確保し易くなる。また、反射板２１の長辺Ｈ１１が、支持板２２Ａの長辺Ｈ１８Ａに対して長過ぎないことにより、反射板２１を安定して固定することができる。本実施形態では、中央線ＣＬ２に対して対称な形状であるため、支持板２２Ｂの長辺Ｈ１８Ｂの長さは、支持板２２Ａの長辺Ｈ１８Ａの長さと同じＬ１４である。
【００７１】
音響調整具の設置時には、支持板２２Ａの第２部分２２ＡＢ、および支持板２２Ｂの第２部分２２ＢＢの長さＬ１６が、対面板から反射板２１までの高さとなる。対面板から反射板２１までの高さが大きいと、反射板２１により反射される空間が広くなる。このため、支持板２２Ａの第２部分２２ＡＢ、および支持板２２Ｂの第２部分２２ＢＢの長さＬ１６は、５０ｍｍ以上３００ｍｍ以下であることが好ましく、１００ｍｍ以上２００ｍｍ以下であることがより好ましい。支持板２２Ａの第２部分２２ＡＢ、および支持板２２Ｂの第２部分２２ＢＢの長さＬ１６が小さ過ぎないことにより、音声が通る最低限の空間を確保することができる。また、支持板２２Ａの第２部分２２ＡＢ、および支持板２２Ｂの第２部分２２ＢＢの長さＬ１６が大き過ぎないことにより、飛沫が通る量を削減することができる。
【００７２】
音響調整具を構成する反射板２１、支持板２２Ａ、支持板２２Ｂの材料としては、第１の実施形態と同様、軽量、かつある程度の強度を有するものが好ましく、板紙、プラスチック板、プラスチック段ボールなどを挙げることができる。好ましい例としては、反射板２１と一対の支持板２２Ａ、支持板２２Ｂが連続する１枚の板紙で構成されていることが好ましい。１枚の板紙としては、単層であっても複層構造を有するものであってもよい。例えば、板紙としては、厚さ１．０ｍｍの白色ボール紙を用いることができる。
【００７３】
＜使用方法＞
第２の実施形態で用いられる音響調整具の使用方法について説明する。図４に示した音響調整具を使用する際、折り線２３ＡＡ、折り線２３ＡＢを支点として支持板２２Ａを折り曲げる。同様に、折り線２３ＢＡ、折り線２３ＢＢを支点として支持板２２Ｂを折り曲げる。このようにして、各折り線により形成される角が略直角となるように折り曲げた後、支持板２２Ａの第１部分２２ＡＡ、支持板２２Ｂの第１部分２２ＢＡを対面板６１の上方の載置面６３に載置する。このようにして、音響調整具を、パーティションに設置する。この結果、図５に示したようなパーティションが得られる。
【００７４】
図５に示した６０は、パーティション本体である。図５に示したパーティション本体６０は、対面する空間を仕切る対面板６１、対面板６１を支える支持部材６２Ａ、６２Ｂを有している。パーティション本体６０が設置されると、正面側の人物とは、対面板６１で隔てられ、特に、対面板６１を挟んだ側の人物との間では、飛沫の往来を防ぐ効果がある。
【００７５】
パーティションを構成する対面板６１、支持部材６２Ａ、６２Ｂ、載置面６３の材料としても、軽量、かつある程度の強度を有するものが好ましい。そのため、音響調整具を構成する反射板２１、支持板２２Ａ、支持板２２Ｂと同様、上記に挙げた板紙、プラスチック板、プラスチック段ボールなどを用いることができる。
【００７６】
＜実施例＞
反射板１１と一対の支持板１２Ａ、支持板１２Ｂで構成される第１の実施形態で用いられる音響調整具を図２に示した形状の１枚の板紙で構成した。１枚の板紙として、厚さ１．０ｍｍの白色ボール紙を用いた。反射板１１は矩形状とした。支持板１２Ａおよび支持板１２Ｂは、互いに対称な同一形状とした。辺Ｈ１および辺Ｈ２の長さＬ１＝５００ｍｍ、辺Ｈ３および辺Ｈ４の長さＬ２＝４００ｍｍ、辺Ｈ５Ａおよび辺Ｈ５Ｂの長さＬ３＝２００ｍｍ、辺Ｈ６Ａおよび辺Ｈ６Ｂの長さＬ４＝７０ｍｍ、辺Ｈ５Ａと辺Ｈ６Ａの距離、および辺Ｈ５Ｂと辺Ｈ６Ｂの距離Ｌ５＝１３０ｍｍ、嵌合溝１４Ａおよび嵌合溝１４Ｂの長さＬ６＝１００ｍｍ、嵌合溝１４Ａおよび嵌合溝１４Ｂの幅Ｌ７＝３ｍｍ、嵌合溝１４Ａ、１４Ｂの反射板１１寄りの端部と反射板１１までの距離Ｌ８＝３０ｍｍとした。また、嵌合溝１４Ａおよび嵌合溝１４Ｂの延伸方向は、中央線ＣＬ１に平行で中央線ＣＬ２に直交する方向とした。折り線１３Ａおよび折り線１３Ｂは折罫で構成し、長さＬ９＝１２０ｍｍとした。
【００７７】
このような音響調整具において、折り線１３Ａを支点として支持板１２Ａを折り曲げ、折り線１３Ｂを支点として支持板１２Ｂを折り曲げた。そして、支持板１２Ａ、支持板１２Ｂがともに反射板１１とのなす角が略直角となるように折り曲げた後、対面板５１を嵌合溝１４Ａ、嵌合溝１４Ｂ内に挿入した。このようにして、音響調整具がパーティションに設置されて、図２に示したようなパーティションが得られた。
【００７８】
対面板５１を挟んだ両側の一方から通常の音量で会話を行った。音響調整具を設置していない状態では、声が聴き取り難かったが、音響調整具を設置した状態では、聞き取り易くなった。
【００７９】
以上、本考案の好適な実施形態について説明したが、本考案は上記実施形態に限定されず、種々の変形が可能である。上記実施形態は例示であり、本考案の実用新案登録請求の範囲に記載された技術的思想と実質的に同一の構成を有し、同様な作用効果を奏するものは、いかなる場合であっても本考案の技術的範囲に包含される。例えば、上記実施形態では、音響調整具とパーティション本体が分離されており、音響調整具をパーティション本体に設置するようにしたが、音響調整具とパーティション本体が一体となった構成でもよい。
【符号の説明】
【００８０】
１０、２０・・・音響調整具
１１、２１・・・反射板
１２Ａ、１２Ｂ、２２Ａ、２２Ｂ・・・支持板
１３Ａ、１３Ｂ、２３ＡＡ、２３ＡＢ、２３ＢＡ、２３ＢＢ・・・折り線
１４Ａ、１４Ｂ・・・嵌合溝
５０、６０・・・パーティション本体
５１、６１・・・対面板
５２Ａ、５２Ｂ・・・側板
６２Ａ、６２Ｂ・・・支持部材
６３・・・載置面
１００、２００・・パーティション
【図１】
0003232309.tif 000003
【図２】
0003232309.tif 000004
【図３】
0003232309.tif 000005
【図４】
0003232309.tif 000006
【図５】
0003232309.tif 000007
【手続補正書】
【提出日】令和3年3月16日(2021.3.16)
【手続補正１】
【補正対象書類名】実用新案登録請求の範囲
【補正対象項目名】全文
【補正方法】変更
【補正の内容】
【実用新案登録請求の範囲】
【請求項１】
接地面を支持することで直立して配置された対面板と、
前記対面板の上部に支持部を介して離間して設けられる前記接地面と平行な反射板と、
を備えることを特徴とするパーティション。
【請求項２】
前記反射板は前記対面板に対応する前記支持部に嵌合溝を有する、請求項１に記載のパーティション。
【請求項３】
前記対面板は上部に前記接地面と平行な載置面を有し、
前記反射板は載置面に対応する支持部を有する、請求項１に記載のパーティション。
【請求項４】
前記反射板を挟んで互いに対向して、それぞれ前記反射板に連接された一対の支持板と、を備え、
各前記支持板は、一対の前記支持板どうしを結ぶ方向に沿って延びる嵌合溝を有する、請求項１に記載のパーティション。
【請求項５】
前記支持板は、折り線を介して前記反射板と連接されている、請求項４に記載のパーティション。
【請求項６】
前記折り線は折罫である、請求項５に記載のパーティション。
【請求項７】
前記反射板は、一対の前記支持板どうしを結ぶ方向に沿って長手方向を有する、請求項４から請求項６のいずれか一項に記載のパーティション。
【請求項８】
前記支持板は、反射板から離れるに連れて、一対の前記支持板どうしを結ぶ方向と交差する方向における幅が小さくなる、請求項４から請求項７のいずれか一項に記載のパーティション。
【請求項９】
前記反射板と一対の前記支持板が連続する１枚の板紙で構成されている、請求項４から請求項８のいずれか一項に記載のパーティション。
【請求項１０】
接地面を支持することで直立して配置された対面板を有するパーティションに用いられる音響調整具であって、
反射板と、
前記反射板を挟んで対向して設けられ、前記対面板から前記反射板を離間して支持する支持部を有する音響調整具。